(57)【要約】【課題】固定位置に置かれた複数の絵画等に対して、移動している複数の人が、どの程度の興味を示すかを測定する。又、測定結果に基づき、印刷物を生成する。【解決手段】本システムは、各固定位置に設置され、定期的に情報を送信する複数の電波送信装置と、移動する複数の人が所持し、上記の情報を受信し、さらに受信回数を数えられる複数の電波受信装置とからなる。本電波受信装置はオプションとして受信情報を表示する表示ユニットや印刷するプリンタユニットを有する。【選択図】        なし【特許請求の範囲】
【請求項１】
一定時間間隔で各固有情報を一定方向に電波として発信する手段を有する複数の電波発信装置と、上記各固有情報を電波として受信する手段と受信した各固有情報と各固有情報の受信回数とを記憶する手段を有する電波受信装置とからなる電波送受信システム。
【請求項２】
各固有情報の受信回数に基づき各固有情報を順序付ける手段を有することを特徴とする電波受信装置からなる請求項１に記載の電波送受信システム。
【請求項３】
順序付けられた各固有情報をその順序に従って表示する装置又は／及び印刷する装置を含む請求項２に記載の電波送受信システム。
【発明の詳細な説明】
【０００１】
【発明の属する技術分野】
本発明は、画像情報を固定装置から移動装置に送信するシステムに関するものである。
【０００２】
【従来の技術】
従来、この種の装置としては、情報カメラシステムが知られている。例えば特開平１０−３１３４２１は情報カメラシステムに関する文献である。情報カメラシステムでは、固定装置から移動装置に送信された画像情報を、移動装置に保存するか無視するかは、手動操作で行われていた。
【０００３】
【発明が解決しようとする課題】
しかしながら、上記の従来例では、数多くの固定装置がある際には操作忘れによる未受信や保存忘れが発生するという欠点があった。
本発明の目的は、自動的に多くの画像情報を漏れなく受信することは勿論のこと画像情報に対する興味度を加味した形で受信できるようにすることである。
【０００４】
【課題を解決するための手段】
上記目的を達成するための本発明の電波送受信システムは、個別情報と画像情報を一定期間ごとに一定方向に電波として発信する電波発信装置と、発信されてくる電波を受信し個別情報と画像情報とに解釈し記憶したり、同一情報を受信する回数を計数し計数値を記憶する電波受信装置とからなる。
上記構成において、本発明の電波受信装置が本発明の電波送信装置からの電波の届く範囲内にある場合には、個別情報と画像情報が繰り返し受信されるので電波受信装置には個別情報と画像情報と計数値が記憶される。次に、電波受信装置が別の電波発信装置の電波の届く範囲内に移動すると新たな個別情報と画像情報とが繰り返し受信されるので、電波受信装置には新たな個別情報と画像情報と計数値が記憶される。このような電波受信装置の移動の結果、電波受信装置には多数の個別情報と画像情報と計数値とが対で記憶される。
【０００５】
【発明の実施の形態】
以下、本発明に係る電波送受信システムの一実施形態について、図面を参照して詳細に説明する。
【０００６】
図１は、本実施形態において画像の個別情報と画像情報とを記憶する機能や計時機能を有し、定期的に一定方向に情報を電波として発信する電波送信装置の外観を示す斜視図である。
【０００７】
又、図２は、本実施形態において、上記電波送信装置から送られてくる電波を受信し、受信情報を記憶するとともに何度受信したかを計数する機能を有する電波受信装置の外観を示す斜視図である。
【０００８】
図３は、オプション機器として表示ユニットとプリンタユニットを接続した時の電波受信装置の外観を示す斜視図である。
【０００９】
図４は、美術館等で電波送受信システムが使用される状況を示す模式図である。
【００１０】
図５、図６は、電波送信装置、電波受信装置それぞれの主要構成を示すブロック図である。
【００１１】
図７は、キー群の外観を示す図である。
【００１２】
図１中、１は電波送信装置、２は電源ＳＷである。図２中、１１は電波受信装置、１２は電源ＳＷ、１３はキー群である。図３中、３１は表示ユニット、４１はプリンタユニットである。
【００１３】
図４に示したように、本実施形態の電波送信装置５１，５２，５３はそれぞれ対応する絵画５１Ｋ，５２Ｋ，５３Ｋの近傍に置かれ、見学者の見学位置に向けて電波が送信されている。又、見学者の所持する電波受信装置６１，６２は電波を受信可能な状態であり、それぞれの電波送信装置の電波到達範囲に移動した際にそれぞれの情報を受け取ることが出来る。電波受信装置６３を所持する見学者は、移動中であり電波の受信外にいるので情報を受け取ることが出来ない。
図５において、３はＣＰＵ部であり、プログラムが書き込まれているＲＯＭ３ａ及びプログラムやデータの書き込み及び読み出しが可能なＲＡＭ３ｂを有し、これらのプログラムに従って各部に動作の指示を与えたり、その動作の結果を受け取ったりするものである。又、ＣＰＵ部３は、各部の動作状態や記憶状態の検知を行い、内部や外部との情報の入出の制御等を行い装置全体を総括的に制御する。
【００１４】
４は、電波送信部であり、ＣＰＵ部３より情報を受け取り、その情報を電波に変換して外部に送出する働きがある。
【００１５】
５は、外部Ｉ／Ｆ部であり、パソコン等の装置と接続できパソコン等外部から送信されてくる画像の個別情報や画像情報をＣＰＵ部３に伝える働きがある。そしてＣＰＵ部３は画像の個別情報を記憶する働きのある６の画像個別情報記憶部に受け取った画像の個別情報を記憶させる働きがある。又、ＣＰＵ部３は画像情報を記憶する働きがある７の画像情報記憶部に受け取った画像情報を記憶させる働きがある。
【００１６】
８は、タイマーであり一定時間を計時し、一定時間計時ごとにＣＰＵ部３に時間が経過したことを伝える働きがある。そして、ＣＰＵ部３はタイマー８から一定時間の経過を伝えられると画像個別情報記憶部６に記憶されている情報を呼び出しそれを電波送信部４に送る。電波送信部４は、その情報を電波として外部に送信する。続いてＣＰＵ部３は画像情報記憶部７に記憶されている情報を呼出しそれを電波送信部４に送る。電波送信部４は送られてきた情報を電波として外部に送信する。
【００１７】
図６において、１４はＣＰＵ部であり、プログラムが書き込まれているＲＯＭ１４ａ及びプログラムやデータの書き込み及び読み出しが可能なＲＡＭ１４ｂを有し、これらのプログラムに従って各部に動作の指示を与えたり、その動作の結果を受け取ったりするものである。又、ＣＰＵ部１４は、各部の動作状態や記憶状態の検知を行い、内部や外部との情報の入出の制御等を行い装置全体を総括的に制御する。
【００１８】
１５は電波受信部であり、外部からの電波を受け取り受け取った情報をＣＰＵ部１４に送出する働きがある。
【００１９】
１３はキー群であり、図７に示すようなキー群からなり、ＣＰＵ部１４に対して各種の処理の実行を起動させる働きがある。１３ａは、ＣＰＵ部１４に対して各部で記憶している内容のクリアを指示するためのキーである。１３ｂは、ＣＰＵ部１４に対してランキングトップの画像の選択を指示するためのキーである。１３ｃは、ＣＰＵ部１４に対して現在選択されている画像より一つ下位のランキングの画像の選択を指示するためのキーである。１３ｄは、ＣＰＵ部１４に対して現在選択されている画像より一つ上位のランキングの画像の選択を指示するためのキーである。１３ｅは、ＣＰＵ部１４に対して現在選択されている画像を印刷指示するためのキーである。１３ｆは、ＣＰＵ部１４に対してランキング上位の画像をインデックス一覧印刷指示するためのキーである。
【００２０】
１６は受信情報一時記憶部であり、ＣＰＵ部１４が電波受信部１５から受け取り、送ってくる画像の個別情報と画像情報とを記憶する働きがある。又、ＣＰＵ部１４の指示により記憶している情報をＣＰＵ部１４に送出する働きもある。
【００２１】
１７は画像枚数記憶部であり、ＣＰＵ部１４から送られてくる枚数情報を記憶する働きがある。又、ＣＰＵ部１４の指示により記憶している情報をＣＰＵ部１４に送出する働きもある。
【００２２】
１８は画像個別情報順次記憶部であり、ＣＰＵ部１４から送られてくる画像の個別情報をＣＰＵ部１４により指定される記憶位置に順次記憶する働きがある。又、ＣＰＵ部１４の指示によりＣＰＵ部１４に指定される記憶位置の情報をＣＰＵ部１４に送出する働きもある。
【００２３】
１９は画像情報順次記憶部であり、ＣＰＵ部１４から送られてくる画像情報をＣＰＵ部１４により指定される記憶位置に順次記憶する働きがある。又、ＣＰＵ部１４の指示によりＣＰＵ部１４に指定される記憶位置の情報をＣＰＵ部１４に送出する働きもある。
【００２４】
２０は計数順次記憶部であり、ＣＰＵ部１４から送られてくる計数値をＣＰＵ部１４により指定される記憶位置に順次記憶する働きがある。又、ＣＰＵ部１４の指示によりＣＰＵ部１４に指定される記憶位置の情報をＣＰＵ部１４に送出する働きもある。
【００２５】
２１はランキング記憶部であり、ＣＰＵ部１４から送られてくるランキング情報を記憶する働きがある。又、ＣＰＵ部１４の指示により記憶している情報をＣＰＵ部１４に送出する働きもある。
【００２６】
２２は現在選択ランキング記憶部であり、ＣＰＵ部１４から送られてくる現在選択ランキング情報を記憶する働きがある。又、ＣＰＵ部１４の指示により記憶している情報をＣＰＵ部１４に送出する働きもある。
【００２７】
表示ユニット３１は、オプションユニットであって電波受信装置に接続でき、接続後はＣＰＵ部１４から送出されてくる画像等の情報を表示する働きがある。
【００２８】
プリンタユニット４１は、オプションユニットであって電波受信装置に接続でき、接続後はＣＰＵ部１４から送出されてくる画像等の情報を印刷する働きがある。
【００２９】
次に、本実施形態における電波送信装置の電波送信動作と、電波受信装置の電波受信動作並びに選択された画像の表示動作や印刷動作のシーケンスについて図８〜図１１のフローチャートを参照して説明する。
【００３０】
まず、電波送信装置のメインの流れを図８で説明する。
最初のステップＳ１において、電波送信装置の電源ＳＷ２がＯＮされると各部が動作可能な状態になる。ＣＰＵ部３の働きにより、各部は初期状態に設定される。
次にステップＳ２において、タイマー８はＣＰＵ部３の指示により計時はリセットされあらためて計時を開始する。
次のステップＳ３では、ＣＰＵ部３は外部Ｉ／Ｆ部５からの入力の有無を判定し、入力がない場合はステップＳ４に進む。
ステップＳ４では、タイマー８の計時が設定されている値に到達したかどうかを判定し、到達していない場合はステップＳ３に戻る。
そして、ステップＳ３で外部Ｉ／Ｆ部５からの入力がある場合はステップＳ５に進む。
ステップＳ５では、ＣＰＵ部３は外部Ｉ／Ｆ部５を通じて送られてくる情報を取込む。
次のステップＳ６では、ＣＰＵ部３は受け取った情報の中の画像個別情報を抜き出し画像個別情報記憶部６に記憶させる。
次のステップＳ７では、ＣＰＵ部３は受け取った情報の中から画像情報を抜き出し画像情報記憶部７に記憶させる。そしてステップＳ２に戻る。
一方、ステップＳ４でタイマー８の計時が設定値に到達している場合にはステップＳ８に進む。
ステップＳ８では、ＣＰＵ部３は画像個別情報記憶部６に記憶されている画像個別情報を呼出し電波送信部４に送り出す。そして電波送信部４の働きにより、画像個別情報が電波として外部に送出される。
【００３１】
次のステップＳ９では、ＣＰＵ部３は画像情報記憶部７に記憶されている画像情報を呼出し電波送信部４に送り出す。そして電波送信部４の働きにより、画像情報が電波として外部に送出される。そしてステップＳ２に戻る。
次に、電波受信装置のメインの流れを図９で説明する。
最初のステップＳ１１において、電波受信装置の電源ＳＷ１２がＯＮされると各部が動作可能な状態になる。ＣＰＵ部１４の働きにより、各部は初期状態に設定される。
次に、ステップＳ１２において、ＣＰＵ部１４はキー群１３からの指示の有無を調べる。指示がない場合にはステップＳ１３に進む。
ステップＳ１３において、ＣＰＵ部１４は電波受信部１５からの受信信号の有無を調べる。受信信号のない場合にはステップＳ１２に戻る。
そして、ステップＳ１２において、キー群１３からの指示がある場合にはステップＳ１４に進む。
ステップＳ１４では、ＣＰＵ部１４は指示を与える各種のキーに応じた処理を行う。処理後はステップＳ１２に戻る。
又、ステップＳ１３において、電波受信部１５からの受信信号がある場合にはステップＳ１５に進む。
ステップＳ１５では、ＣＰＵ部１４は受信処理を行う。処理後はステップＳ１２に戻る。
次に受信処理の詳細な流れを図１０で説明する。
ステップＳ２１では、ＣＰＵ部１４は電波受信部１５で受信した情報を受け取る。
ステップＳ２２では、ＣＰＵ部１４は受け取った情報が受信情報一時記憶部１６内の情報と同じものかどうかを調べる。同じでない場合にはステップＳ２３に進む。
ステップＳ２３では、ＣＰＵ部１４は受け取った情報を受信情報一時記憶部１６に記憶させる。
次のステップＳ２４では、ＣＰＵ部１４は画像枚数記憶部１７の値に＋１する。
次のステップＳ２５では、ＣＰＵ部１４は画像個別情報順次記憶部１８の画像枚数記憶部１７の値で指定される位置に新しく受け取った情報の一部である画像個別情報を記憶させる。
次のステップＳ２６では、ＣＰＵ部１４は画像情報順次記憶部１９の画像枚数記憶部１７の値で指定される位置に新しく受け取った情報の一部である画像情報を記憶させる。
次のステップＳ２７では、ＣＰＵ部１４は計数順次記憶部２０の画像枚数記憶部１７の値で指定される位置に１を記憶させる。
【００３２】
次のステップＳ２８では、ＣＰＵ部１４は受け取った情報ごとに同一情報取得回数として記憶されている計数順次記憶部２０の値を比較し、値の大きい順にその値を有しているのが何枚目の画像かを調べ、ランキングとして次々と並べ、結果をランキング記憶部２１に記憶する。そして、受信処理を終了する。
一方、ステップＳ２２で受け取った情報が受信情報一時記憶部１６内の情報と同じ場合はステップＳ２９へ進む。
ステップＳ２９では、ＣＰＵ部１４は計数順次記憶部２０の画像枚数記憶部１７の値で指定される位置の値に＋１する。そして、ステップＳ２８に進む。
次に、キー処理の詳細な流れを図１１で説明する。
まずステップＳ３１では、ＣＰＵ部１４は（ＲＥＳＥＴ）キー１３ａがＯＮされているかどうかを判定する。ＯＮであればステップＳ３２へ進む。
ステップＳ３２では、ＣＰＵ部１４は全ての記憶部の内容をクリアする。
次にステップＳ３３に進み、（ＲＥＳＥＴ）キー１３ａがＯＦＦされているかどうかを判定し、ＯＦＦされればステップＳ３３を抜け出し、キー処理を終了する。
一方、ステップＳ３１で（ＲＥＳＥＴ）キー１３ａがＯＦＦであればステップＳ３４に進む。
ステップＳ３４では、ＣＰＵ部１４は（トップ）キー１３ｂがＯＮされているかどうかを判定する。ＯＮであればステップＳ３５へ進む。
ステップＳ３５では、ＣＰＵ部１４は現在選択ランキング記憶部２２に値として１を設定する。
次にステップＳ３６に進み、（トップ）キー１３ｂがＯＦＦされているかどうかを判定し、ＯＦＦされればステップＳ３６を抜け出し、ステップＳ３７に進む。
ステップＳ３７では、電波受信装置に表示ユニット３１が付けられているかどうかを判定し、付いていなければキー処理を終了する。付いていればステップＳ３８に進む。
ステップＳ３８では、ＣＰＵ部１４は現在選択ランキング記憶部２２の値のランキングから画像情報順次記憶部１９の画像が記憶されている位置を特定し、そこから画像を呼出して表示ユニット３１に送信する。
表示ユニット３１は送信されてきた画像を表示する。
その後キー処理を終了する。
そして、ステップＳ３４で（トップ）キー１３ｂがＯＦＦなら、ステップＳ３９へ進む。
ステップＳ３９では、ＣＰＵ部１４は（↓）キー１３ｃがＯＮされているかどうかを判定する。ＯＮであればステップＳ４０へ進む。
ステップＳ４０では、ＣＰＵ部１４は現在選択ランキングが最下位ランキングかどうかを判定する。即ち、現在選択ランキング記憶部２２の値と画像枚数記憶部１７の値とが等しければ最下位ランキングと判定する。判定結果がＮＯであればステップＳ４１へ進む。
ステップＳ４１では、ＣＰＵ部１４は現在選択ランキング記憶部２２の値に＋１する。
次のステップＳ４２では、（↓）キー１３ｃがＯＦＦされているかどうかを判定し、ＯＦＦされればステップＳ４２を抜け出し、ステップＳ３７へ進む。
一方、ステップＳ４０で、判定結果がＹＥＳであればステップＳ４２へ進む。一方、ステップＳ３９で（↓）キー１３ｃがＯＦＦなら、ステップＳ４３へ進む。
ステップＳ４３では、ＣＰＵ部１４は（↑）キー１３ｄがＯＮされているかどうかを判定する。ＯＮであればステップＳ４４へ進む。
ステップＳ４４では、ＣＰＵ部１４は現在選択ランキング記憶部２２の値が１かどうかを判定する。１でなければステップＳ４５へ進む。
ステップＳ４５では、ＣＰＵ部１４は現在選択ランキング記憶部２２の値を−１する。
次のステップＳ４６では、（↑）キー１３ｄがＯＦＦされているかどうかを判定し、ＯＦＦされればステップＳ４６を抜け出し、ステップＳ３７へ進む。
一方、ステップＳ４４で現在選択ランキング記憶部２２の値が１ならステップＳ４６へ進む。
そして、ステップＳ４３で（↑）キー１３ｄがＯＦＦならステップＳ４７へ進む。
ステップＳ４７では、ＣＰＵ部１４は（印刷）キー１３ｅがＯＮされているかどうかを判定する。ＯＮであればステップＳ４８へ進む。
ステップＳ４８では、電波受信装置にプリンタユニット４１が付けられているかどうかを判定し、付いていればステップＳ４９へ進む。
ステップＳ４９では、ＣＰＵ部１４は現在選択ランキング記憶部２２の値のランキングから、画像情報順次記憶部１９の画像が記憶されている位置を特定し、そこから画像を呼出してプリンタユニット４１に送信する。
プリンタユニット４１は送信されてきた画像を印刷する。
次のステップＳ５０では、（印刷）キー１３ｅがＯＦＦされているかどうかを判定し、ＯＦＦされればステップＳ５０を抜け出し、キー処理を終了する。
一方、ステップＳ４８で、プリンタユニット４１が付けられていなければステップＳ５０へ進む。
一方、ステップＳ４７で（印刷）キー１３ｅがＯＦＦであればステップＳ５１へ進む。
ステップＳ５１では、電波受信装置にプリンタユニット４１が付けられているかどうかを判定し、付けられていればステップＳ５２へ進む。
ステップＳ５２では、ＣＰＵ部１４は、例えば１６分割印刷のときは、ランキング記憶部２１に記憶されているランキング上位の１６枚の画像を選ぶために、画像情報順次記憶部１９のそれぞれの画像が記憶されている位置から、次々と画像を呼出して、各画像を圧縮して一覧形式に並べた上でプリンタユニット４１に送信する。
プリンタユニット４１は送られてきた一覧形式の画像を印刷する。
次のステップＳ５３では、（インデックス印刷）キー１３ｆがＯＦＦされているかどうかを判定し、ＯＦＦされればステップＳ５３を抜け出し、キー処理を終了する。
一方、ステップＳ５１で、プリンタユニット４１が付けられていなければ、ステップＳ５３へ進む。
【００３３】
【発明の効果】
以上説明したように本発明によれば、数多くの展覧されている絵画等に対比する画像情報を各個人の好みのような要素を加味した形で取得できるので、事後における画像の整理等に関わる時間の短縮を図れるという効果がある。
【図面の簡単な説明】
【図１】本発明の実施の形態の電波送信装置の外観を示す斜視図である。
【図２】本発明の実施の形態の電波受信装置の外観を示す斜視図である。
【図３】本発明の実施の形態の電波受信装置にオプション機器の表示ユニットとプリンタユニットとを接続したときの外観を示す斜視図である。
【図４】本発明の実施の形態の電波送受信システムの使用する状況を示す模式図である。
【図５】本発明の実施の形態の電波送信装置の主要部の構成を示すブロック図である。
【図６】本発明の実施の形態の電波受信装置の主要部の構成を示すブロック図である。
【図７】本発明の実施の形態の電波受信装置のキー群の外観を示す図である。
【図８】本発明の実施の形態の電波送信装置の主要な動作の流れを示すフローチャートである。
【図９】本発明の実施の形態の電波受信装置の主要な動作の流れを示すフローチャートである。
【図１０】本発明の実施の形態の電波受信装置の受信処理の流れを示すフローチャートである。
【図１１】本発明の実施の形態の電波受信装置のキー処理の流れを示すフローチャートである。
【符号の説明】
１  電波送信装置
２  電源ＳＷ
３  ＣＰＵ部
３ａ  ＲＯＭ
３ｂ  ＲＡＭ
４  電波送信部
５  外部Ｉ／Ｆ部
６  画像個別情報記憶部
７  画像情報記憶部
８  タイマー
１１  電波送信装置
１２  電源ＳＷ
１３  キー群
１３ａ  ＲＥＳＥＴキー
１３ｂ  トップキー
１３ｃ  ↓キー
１３ｄ  ↑キー
１３ｅ  印刷キー
１３ｆ  インデックス印刷キー
１４  ＣＰＵ部
１４ａ  ＲＯＭ
１４ｂ  ＲＡＭ
１５  電波受信部
１６  受信情報一時記憶部
１７  画像枚数記憶部
１８  画像個別情報順次記憶部
１９  画像情報順次記憶部
２０  計数順次記憶部
２１  ランキング記憶部
２２  現在選択ランキング記憶部
３１  表示ユニット
４１  プリンタユニット
５１，５２，５３  電波送信装置
５１Ｋ，５２Ｋ，５３Ｋ  絵画
６１，６２，６３  電波受信装置
【図１】
2004260419.tif 000002
【図２】
2004260419.tif 000003
【図３】
2004260419.tif 000004
【図４】
2004260419.tif 000005
【図５】
2004260419.tif 000006
【図６】
2004260419.tif 000007
【図７】
2004260419.tif 000008
【図８】
2004260419.tif 000009
【図９】
2004260419.tif 000010
【図１０】
2004260419.tif 000011
【図１１】
2004260419.tif 000012